(57)【要約】【課題】永久磁石間の異極吸引力又は同極反発力を利用した磁力回転装置及びそれを用いた発電装置の提供を目的とする。【解決手段】外輪磁石を同心円状に所定数配置した外輪と、内輪磁石を同心円状且つ外輪の内側に所定数配置した内輪と、外輪と内輪との間に所定の角度だけ変位配置した中間鋼板とを有し、外輪磁石と内輪磁石とのうち一方を固定し、他方を回転シャフトに連結してあり、外輪磁石の数と内輪磁石の数を８：７の割合で配置するとともに内外の磁石間の吸引力又は反発力を消磁するように中間鋼板を回転自在に配置し、中間鋼板を所定の速度で回転させることで、前記回転シャフトに連結した外輪磁石又は内輪磁石の一方を回転させることを特徴とする。【選択図】  図１
2011109830.tif 000002
【特許請求の範囲】
【請求項１】
外輪磁石を同心円状に所定数配置した外輪と、
内輪磁石を同心円状且つ外輪の内側に所定数配置した内輪と、外輪と内輪との間に所定の角度だけ変位配置した中間鋼板とを有し、
外輪磁石と内輪磁石とのうち一方を固定し、他方を回転シャフトに連結してあり、外輪磁石の数と内輪磁石の数を８：７の割合で配置するとともに内外の磁石間の吸引力又は反発力を消磁するように中間鋼板を回転自在に配置し、中間鋼板を所定の速度で回転させることで、前記回転シャフトに連結した外輪磁石又は内輪磁石の一方を回転させることを特徴とする磁石回転装置。
【請求項２】
請求項１記載の磁力回転装置に発電機を連結したことを特徴とする発電装置。
【発明の詳細な説明】
【技術分野】
【０００１】
本発明は、磁石間の異極吸引力又は同極反発力を利用した回転装置及びそれを用いた発電装置に関する。
【背景技術】
【０００２】
近年、磁石の開発が進み、例えばサマリウムコバルト磁石、フェライト磁石、アルニコ磁石の他にネオジム磁石が公知であり、その中でもこのネオジム磁石が永久磁石のうちでは最も強力とされ、ネオジム、鉄、ホウ素を主成分とする希土類磁石（Ｎｄ２Ｆｅ１４Ｂ）である。
特許文献１に開示するように製造方法も改良され、各種分野に利用されている。
【先行技術文献】
【特許文献】
【０００３】
【特許文献１】特開２００９−２６７２２１号公報
【発明の概要】
【発明が解決しようとする課題】
【０００４】
本発明は、永久磁石間の異極吸引力又は同極反発力を利用した磁力回転装置及びそれを用いた発電装置の提供を目的とする。
【課題を解決するための手段】
【０００５】
本発明に係る磁力回転装置は、外輪磁石を同心円状に所定数配置した外輪と、内輪磁石を同心円状且つ外輪の内側に所定数配置した内輪と、外輪と内輪との間に所定の角度だけ変位配置した中間鋼板とを有し、外輪磁石と内輪磁石とのうち一方を固定し、他方を回転シャフトに連結してあり、外輪磁石の数と内輪磁石の数を８：７の割合で配置するとともに内外の磁石間の吸引力又は反発力を消磁するように中間鋼板を回転自在に配置し、中間鋼板を所定の速度で回転させることで、前記回転シャフトに連結した外輪磁石又は内輪磁石の一方を回転させることを特徴とする。
この磁力回転装置を発電装置に軸連結すると、消磁性の中間鋼板を回転することで発電できる。
【０００６】
本発明では、内輪の外側に同心円状に外輪を配設し、外輪に等間隔（角度等分）に配設した永久磁石数と、内輪に等間隔（角度等分）に配設した永久磁石の数とが８：７の割合等内外輪で異なるように配置にすると、外輪に配設した磁石中心と内輪に配設した磁石中心とに同心軸から放射状に直線を引いた場合に相互に位相角が生じることになる。
ＮＳ極間吸引力とＮＮ，ＳＳ極間の反発力が生じ、この外輪磁石と内輪磁力との間に消磁鋼板を配置すると、例えば反力が鋼板により消磁し、吸引力のみ出現させることができる。
よって、消磁鋼板を内外輪と同心円状に回転させると、これに伴って可動輪が動く。
ここで、外輪磁石の数と内輪磁石の数の割合は相互に位相角が生じれば、必ずしも８：７の割合にする必要は無いが、消磁鋼板（中間鋼板）を３枚にした場合には、この割合を８：７にするのが良い。
【０００７】
例えば図２に外輪磁石１３を８ヶ×４組固定配置し、その内側に可動輪として内輪磁石１２を７ヶ×４組配置する。
外輪磁石１１と内輪磁石１２との間に回転自在に３枚×４組の消磁鋼板１３を配置した例を示す。
この配置関係を分かりやすくするために図３に内輪磁石配置図、図４に外輪磁石配置図、図５に中間鋼板（消磁鋼板）配置図を示す。
このようにすると図２に矢印で示した方向の回転力が内輪に生じる。
中間鋼板１３をゆっくり回転し始めると、内輪磁石を配置した内輪（回転部）がゆっくり回転し始める。
【発明の効果】
【０００８】
本発明においては、外輪磁石と内輪磁石とをその一方が固定され、他方が回転可能になるように所定の位相角が生じるように配置し、その間に消磁のための中間鋼板を配置したので中間鋼板を回転させるだけで可動輪が回転する。
【図面の簡単な説明】
【０００９】
【図１】磁力回転装置を発電機に連結した構成例を示す。
【図２】内外磁石及び中間鋼板配置図例を示す。
【図３】内輪磁石配置図例を示す。
【図４】外輪磁石配置図例を示す。
【図５】中間鋼配置図例を示す。
【発明を実施するための形態】
【００１０】
本発明に係る磁石回転装置１０を発電装置に組み込んだ例を以下、図面に基づいて説明するが、本実施例に限定されない。
【００１１】
図２に示した外輪磁石１１としてネオジム磁石を同心円状に８つ×４組＝３２ヶ固定配置し、内輪磁石１２としてネオジム磁石を７つ×４組＝２８ヶ回転部（回転板）１４の外周部に取り付け、この外輪磁石１１と内輪磁石１２との間に３枚の中間鋼板を図５に示したような位相角で配置した。
この側面図を模式的に図１に示す。
【００１２】
中間鋼板１３は、小型モーター１に連結され、小型モーター１により回転する。
回転部１４は、ディスク板２３とカップリング１６を介してシャフト１５，２４により軸連結されている。
ディスク板２３は、シャフト２４，３３を用いてカップリング２５を介して発電機３０に軸連結されている。
ディスク板２３は、外周部に磁石からなる内極コア極を所定極数取り付けられ、外極２１としてコイル極を所定極数設けてあり、巻き線からなる外極２１に商用電源（５０Ｈｚ，６０Ｈｚ）の周波数をインバーター等にて増加変換して印加することができるようになっている。
商用電源により、ディスク板２３を所定の回転数に回転させ、その回転数にモーター１により中間鋼板１３を同期回転させる。
これにより、ディスク板２３の回転慣性力と磁石回転装置１０の回転力が結合され、大きなトルクが出現し、発電機３０側の可動極３２と固定極３１との間に電力が出現することになる。
この場合にてこの原理からディスク板２３の外径を可動極３２の外径よりも数倍、大きくとるのがよい。
【符号の説明】
【００１３】
１        モーター
１０      磁石回転装置
１１      外輪磁石
１２      内輪磁石
１３      中間鋼板
１４      回転部
１５      シャフト
１６      カップリング
２１      外極
２２      内極
２３      ディスク板
２４      シャフト
２５      カップリング
３０      発電機
３１      固定極
３２      可動極
３３      シャフト
【図１】
2011109830.tif 000003
【図２】
2011109830.tif 000004
【図３】
2011109830.tif 000005
【図４】
2011109830.tif 000006
【図５】
2011109830.tif 000007